(57)【要約】  携帯用ナビゲーション装置（ＰＮＤ）又はナビゲーションシステムを動作する方法が、その方法を実行可能なＰＮＤ及びナビゲーションシステムと、その方法を実行するコンピュータプログラムとともに記載される。その方法は、装置又はナビゲーションシステムの現在の位置を含む地球上での特定の位置又は位置範囲をユーザが識別することができる手段を提供する工程と、メモリに位置又は範囲を少なくとも一時的に格納する工程とを含む。その方法はさらに、それぞれが複数の一時的な現象を示す複数のユーザ選択可能なオプションをユーザに提供する工程を含み、少なくとも１つのオプションの選択により、その現象を識別された位置又は範囲と関連付け、一次情報としてともに格納することを特徴とする。その方法は、さらに、一次情報の格納後に、無線又は物理的な接続により、リモート装置に送信されることを特徴とする。その一時的な現象は、特定の位置又は範囲、特定の位置又は範囲の近くの、及び、特定の位置又は範囲に向かっての現在又は未来の交通フロー及び移動に影響を与えるであろう現象と、現在又は未来の経路が特定の位置又は範囲を介して、又は、それに隣接して通っていく経路を有する他の装置のユーザにとって興味のあるであろう現象との少なくとも１つを含んでも良い。前者の場合には、その一時的な現象が、交通渋滞の特性及び／又は詳細と、事故及び事故の詳細と、移動路の迂回路と、道路工事及び修繕を含む閉鎖及び規制と、現在のローカルな天候状態と、他の車両との中で極めて幅広であり重く遅いといった特別な車両の識別とのうち、少なくとも１つであっても良い。【選択図】図５
2011506985.tif 000002
【特許請求の範囲】
【請求項１】
ＰＮＤ又はナビゲーションシステムを動作する方法であって、前記方法は、現在位置であるか又は前記現在位置を含んでいるかは任意に、特定の位置又は位置範囲がメモリにおいて少なくとも一時的に格納される手段を提供する工程と、
レポートされるべき少なくとも１つの一時的な現象を示すユーザ選択可能な第１のオプションを少なくとも１つユーザに提供する工程と、
前記オプションの選択により、前記現象を、現在又は後に識別される位置又は範囲と直ちに又は後に関連付けて、ともに一次情報として格納し、
前記一次情報は、引き続いてリモート装置に送信される、
ことを特徴とする方法。
【請求項２】
前記第１のオプションの選択により、装置又はシステムはレポートモードとなり、前記装置の現在の速度又は前記レポートモードの起動からの平均速度が定期的に、前記装置又はシステムが現在移動している道路のタイプについて導き出される又は適切な、格納された速度と比較して判定される、
ことを特徴とする請求項１に記載の方法。
【請求項３】
前記比較により、
前記装置の速度が、道路のタイプについて前記格納された速度の所定の閾値以内である場合、若しくは前記閾値より大きいか又は等しい場合、前記レポートモードを抜けるか、又は、
前記装置の速度がいずれの基準も満たさない場合に、一次情報の定期的な生成と引き続いての送信が行なわれる、
ことを特徴とする請求項２に記載の方法。
【請求項４】
レポートモードにおいて、ユーザ選択可能なアイコンは、前記装置のディスプレイ上に、マップ情報とともに表示されることを特徴とする請求項３に記載の方法。
【請求項５】
前記ユーザ選択可能なアイコンの選択により、前記装置の前記ディスプレイ上に、さらにユーザ選択可能な項目を少なくとも１つ表示し、
前記項目は、特定の前記一時的な現象の特定のタイプを少なくとも１つ表しており、
前記項目の選択により、特定のタイプの現象を表す情報を前記位置又は位置範囲と関連付ける、
ことを特徴とする請求項４に記載の方法。
【請求項６】
前記一次情報は、無線でリモート装置に送信されることを特徴とする請求項１乃至５のいずれか１項に記載の方法。
【請求項７】
前記現象について前記位置又は範囲との関連付けと格納の後、前記現象又は関連付けられた前記位置又は範囲についての記述的な二次情報を記録するために、ユーザに更なるオプションを提供する工程と、
前記二次情報は付加的に、前記位置又は範囲と、一部分を形成する前記一次情報とのうちの１つと少なくとも一時的に関連付けられて格納され、後に、リモート装置に送信される、
ことを特徴とする請求項１乃至６のいずれか１項に記載の方法。
【請求項８】
前記二次情報は無線で、前記一次情報とともに同時に又はすぐに連続して送信されることを特徴とする請求項７に記載の方法。
【請求項９】
前記二次情報は、英数字形式とデジタル化された音声形式との少なくとも１つであることを特徴とする請求項７又は８に記載の方法。
【請求項１０】
前記二次情報は、英数字形式であり、前記装置又はシステムのタッチパネルを介してユーザより入力されることを特徴とする請求項９に記載の方法。
【請求項１１】
前記二次情報は、デジタル化された音声形式であって、前記装置又はシステムの一部分として備えられたマイクロフォンを介して記録されることを特徴とする請求項９に記載の方法。
【請求項１２】
選択された場合には前記装置又はシステムに前記マイクロフォンを起動させ、前記音声信号のデジタル化を開始させる音声記録モードオプションを前記ユーザに対して提供する工程をさらに備え、
前記装置又はシステムのメモリにデジタル音声ファイルがストリーミングで格納されることを特徴とする請求項１１に記載の方法。
【請求項１３】
前記記録の処理中か若しくは完了後に、
前記デジタル音声ファイルを、前記一次情報と、一部分を形成する前記位置又は範囲とのうちの少なくとも１つと関連付ける、
ことを特徴とする請求項１２に記載の方法。
【請求項１４】
ユーザに、英数字文字入力モードのオプションを提供する工程をさらに備え、
前記オプションの選択により、前記装置又はシステムが、表示画面上に仮想のキーボードを表示し、前記ユーザにより入力された英数字文字を保存したメモリにおいて、テキストファイルの生成とオープンとを同時に行なう、
ことを特徴とする請求項１０に記載の方法。
【請求項１５】
前記テキストファイルの生成中か若しくは後に、
前記テキストファイルを、前記一次情報と、一部分を形成する前記位置又は範囲とのうちの少なくとも１つと関連付ける、
ことを特徴とする請求項１４に記載の方法。
【請求項１６】
前記一時的な現象とは、
前記特定の位置又は範囲、前記特定の位置又は範囲の近くの、及び、前記特定の位置又は範囲に向かっての現在又は未来の交通フロー及び移動に影響を与えるであろう現象と、
現在又は未来の経路が前記特定の位置又は範囲を介して、又は、に隣接して通っていく経路を有する他の装置のユーザにとって興味のあるであろう現象とのうち、いずれか１つのタイプであることを特徴とする請求項１乃至１５のいずれか１項に記載の方法。
【請求項１７】
前記現象が、前記特定の位置又は範囲、前記特定の位置又は範囲の近くの、及び、前記特定の位置又は範囲に向かっての現在又は未来の交通フロー及び移動に影響を与えるであろう現象であり、
前記一時的な現象が、交通渋滞の特性及び／又は詳細と、事故及び前記事故の詳細と、移動路の迂回路と、道路工事及び修繕を含む閉鎖及び規制と、現在のローカルな天候状態と、極めて幅広であり重く遅いといった特別な車両の識別とのうち、少なくとも１つであることを特徴とする請求項１６に記載の方法。
【請求項１８】
ナビゲーションモード又はフリー・ドライビングモードの間、前記装置又はシステムのタッチパネル上にマップ情報を表示する工程を含み、
前記ディスプレイ、及び、前記装置又はシステムは、前記装置により提供される少なくとも１つの特徴を示すユーザ選択可能な記述子を少なくとも１つ表示するための接触に応答し、
前記特徴の１つは、位置又は範囲に特有の一時的な現象を入力することである、
ことを特徴とする請求項１６又は１７に記載の方法。
【請求項１９】
前記レポートモードは自動交通事情レポートモードであり、前記装置又はシステムの起動中を除いて、定期的及び連続的に比較が行なわれ、
前記装置又はシステムが現在の速度が少なくとも１つの所定の基準を満たしていないと判定した場合に、一次情報が定期的に生成され、リモート装置に自動的に送信される、
ことを特徴とする請求項１及び２に記載の方法。
【請求項２０】
請求項１乃至１９のいずれか１項に記載の方法及びシステムを実行するためのコンピュータ・プログラム。
【請求項２１】
請求項２０に記載のコンピュータ・プログラムを格納する機械読取可能な記憶媒体。
【請求項２２】
少なくともＧＰＳ信号受信手段と、処理手段と、メモリと、ディスプレイとを含む携帯型ナビゲーション装置（ＰＮＤ）であって、
前記ＰＮＤは、現在位置であるか又は前記現在位置を含むかは任意に、特定の位置又は位置範囲を少なくとも一時的に格納するように構成され、
前記装置は、少なくとも１つの一時的な現象を示すユーザ選択可能な第１のオプションを少なくともユーザに提供し、
前記オプションの選択により、前記現象を、識別された位置又は範囲と関連付けて、ともに一次情報として格納し、
前記装置は、前記一次情報が引き続いてリモート装置に送信される構成を含む、
ことを特徴とするＰＮＤ。
【請求項２３】
タッチパネルをさらに備え、
請求項２乃至１９のいずれか１項に記載の方法を実行するように構成されたことを特徴とする請求項２２に記載のＰＮＤ。
【請求項２４】
少なくともＧＰＳ信号受信手段と、処理手段と、メモリと、ディスプレイとを含むナビゲーションシステムであって、
前記システムは、現在位置であるか又は前記現在位置を含むかは任意に、特定の位置又は位置範囲を少なくとも一時的に格納するように構成され、
前記システムは、少なくとも１つの一時的な現象を示すユーザ選択可能な第１のオプションを少なくともユーザに提供し、
前記オプションの選択により、前記現象を、識別された位置又は範囲と関連付けて、ともに一次情報として格納し、
前記システムは、前記一次情報が引き続いてリモート装置に送信される構成を含む、
ことを特徴とするナビゲーションシステム。
【請求項２５】
タッチパネルをさらに備え、
請求項２乃至１９のいずれか１項に記載の方法を実行するように構成されたことを特徴とする請求項２４に記載のナビゲーションシステム。
【発明の詳細な説明】
【技術分野】
【０００１】
本発明は、改良されたナビゲーション装置および方法に関する。
【背景技術】
【０００２】
ＧＰＳ（Ｇｌｏｂａｌ  Ｐｏｓｉｔｉｏｎｉｎｇ  Ｓｙｓｔｅｍ）信号の受信および処理手段を含む携帯用ナビゲーション装置（ＰＮＤｓ）が良く知られており、車内のナビゲーションシステムとして広く搭載されている。現代のＰＮＤｓは、実質的に、
プロセッサと、
メモリ（少なくとも揮発性と不揮発性の少なくとも１つ、両方共通に）と、
前記メモリ内に格納されたマップデータと、
装置の機能を制御して様々な特徴を提供するための、システムを駆動するソフトウエアおよびその上で実行される任意の少なくとも１つの付加的なプログラムと、
位置情報を含むサテライト・ブロードキャスト信号が受信されてその後、装置の現在位置を決定するように処理されるためのＧＰＳアンテナと、
ＧＰＳ信号から得られる位置情報と、速度と、装置つまりそれが搭載される車両の関連する変位とに関連して、現在の角加速度および直線加速度を決定するように処理されることができる信号を生成する、任意の電子ジャイロスコープおよび加速度計と、
例えば、視覚的ディスプレイ（ユーザ入力を許可するためのタッチパネルであっても良い）を含む入出力手段と、オン／オフ操作を制御するための少なくとも１つの物理的なボタンと、可聴式出力用のスピーカと、
電源および任意の少なくとも１つのデータ信号が装置に送信され、装置から受信されることができる、任意の少なくとも１つの物理コネクタと、
Ｗｉ−Ｆｉ、Ｗｉ−ＭＡＸ  ＧＳＭ等のような携帯電話通信や他の信号およびデータネットワーク上での通信を許可するような任意の少なくとも１つの無線送信器／受信器とを含む。
【０００３】
ＰＮＤの有用性は、スタート若しくは現在の位置と目的地との間の経路を決定する能力において主に現れている。それは、例えば、郵便番号、街路名や街路番号、以前に保存された既知のお気に入り若しくは最近訪問した目的地等、様々な異なった方法のいずれによって、計算装置にユーザにより入力されることができる。代表的には、ＰＮＤは、マップデータからスタートアドレス位置と目的アドレス位置との間の「最良の」若しくは「最適な」経路を計算するためのソフトウエアによって可能とされる。「最良の」若しくは「最適な」経路は、所定の基準に基づいて決定され、最速若しくは最短の経路である必要は必ずしもない。ドライバを導くための経路の選択は、極めて高度化されることができ、選択された経路は、現在の予測される動的に及び／又は無線で受信した交通道路情報と、道路速度についての履歴情報と、道路の選択を決定する要因についてのドライバの好みとを考慮しても良い。加えて、装置は、道路交通情報を連続的にモニタしても良く、そして、変更された条件により、残りの行路について経路を変更することを提案するか選択するようにしても良い。リアルタイム交通モニタリングシステムは、様々な技術（例えば、携帯電話のコール、固定されたカメラ、ＧＰＳ車両追跡）に基づいて、交通遅延を識別し、通知システムに情報を提供するように用いられている。
【０００４】
ナビゲーション装置は代表的には、車両のダッシュボード上に搭載されても良い。しかしながら、車両や車のラジオのオンボード・コンピュータの一部として形成されても良い。ナビゲーション装置は、ＰＤＡ（Ｐｅｒｓｏｎａｌ  Ｎａｖｉｇａｔｉｏｎ  Ｄｅｖｉｃｅ）、メディアプレーヤ、携帯電話等の携帯型システム（の一部）であっても良い。そして、それらの場合に、携帯型システムの通常の機能は、計算された経路に沿っての経路の計算とナビゲーションの両方を実行するように、装置上でのソフトウエアのインストールによって拡張される。いずれにしても、経路が一旦計算されると、ユーザは、所望の計算された経路を提案された経路のリストから任意に選択するために、ナビゲーション装置と対話する。ユーザは任意に、ある経路や道路や位置や基準が避けられるべき、若しくは、特定の行路について必須であるように特定すること等により、経路選択処理を導き又は干渉するようにしても良い。ＰＮＤの経路計算の点は提供された一つの主な機能であり、そのような経路に沿ってのナビゲーションが他の主な機能となる。計算された経路に沿ってのナビゲーションの間、ＰＮＤは、視覚的及び／又は可聴式の指示を与え、経路の終端、即ち所望の目的地までの選択された経路に沿ってユーザを導く。ナビゲーションの間、スクリーン上でマップ情報を表示することはＰＮＤにとっては通常であり、装置が車内でのナビゲーション用に用いられる場合に、表示されたマップ情報がユーザ若しくはユーザの車両に対応する装置の現在位置を表すように、そのような情報は定期的にスクリーン上で更新される。スクリーン上で表示されるアイコンは、現在の装置の位置を代表的に示しており、現在と周囲の道路のマップ情報とともに中央に位置される。そして、他のマップの特徴も同様に表示される。加えて、ナビゲーション情報が表示されたマップ情報の片側や上部や下部のステータスバーで任意に表示されても良い。例えば、ユーザによって得られるために要求される現在の道路から次に逸れるまでの距離を含むナビゲーション情報であり、例えば、その逸れる特定のタイプを示唆する更なるアイコンによって可能に表される逸脱の状態であり、例えば、左折や右折である。ナビゲーション機能は、ユーザが経路に沿って導かれることができる可聴式の指示の内容と継続時間とタイミングとを決定する。分かるように、例えば、「１００ｍで左折」のような単純な指示は、多大な処理と解析を必要とする。先述したように、ユーザの装置との対話は、タッチパネルによっても良いし、付加的に若しくは代わりにステアリング・コラム搭載型のリモート制御によっても良いし、音声起動でも他の適切な方法によっても良い。
【０００５】
装置により提供される更なる重要な機能は、自動経路再計算である。それは以下の場合における。
【０００６】
ユーザが、ナビゲーションの間、以前に計算された経路から逸れる。
【０００７】
リアルタイムでの交通状態が、代わりの経路がより便宜がよく、装置がそのような条件を自動的に認識することが適切に可能であることを指示する。
【０００８】
若しくは、ユーザが積極的に装置にいかなる理由でも経路の再計算を実行させる場合である。
【０００９】
ユーザ定義の基準で経路が計算されることは良く知られている。例えば、ユーザは、装置によって計算された観光経路を好んでも良い。若しくは、交通渋滞が予測されて現在広がっている道路を避けることを望んでも良い。装置のソフトウエアは、その後、様々な経路を計算し、例えば名勝としてタグが付されたり特定の道路上の広く行き渡った交通状態を示す格納された情報を用いるとして経路に沿ってタグが付された多くの着目点（ＰＯＩとして知られる）を含む経路をより好んで評価し、渋滞若しくは遅延のあり得るレベルに関して計算された経路を順序付けるであろう。他のＰＯＩベースかつ交通情報ベースの経路計算とナビゲーション基準とが同様に可能である。
【００１０】
経路計算とナビゲーション機能がＰＮＤの全体の有用性に不可欠であるが、純粋に情報の表示のために装置を用いることが可能である。即ち、「フリー・ドライビング」である。その場合には、現在の装置の位置に関するマップ情報のみが表示される。また、その場合には、いずれの経路も計算されておらず、装置による目下のナビゲーションは行なわれていない。そのような動作モードはしばしば、ナビゲーションの補助を要求していない経路に沿ってユーザが移動を所望する場合に適用される。
【００１１】
より現代のＰＮＤは、衛星信号を受信できる必須のＧＰＳアンテナばかりでなく、装置を効果的に移動体電気通信ネットワークの一部とできる第２の移動体電気通信アンテナを備えている。代表的には、装置は、統合型又は除去可能な加入者識別モジュール（ＳＩＭ）カードをさらに備えており、加入者識別モジュールは、ネットワークへの装置を識別し、ネットワーク上での通信を可能にするために適した信号を符号化し復号化することを要求される様々なデータが備えられている。
【００１２】
また、今日、ＰＮＤとナビゲーションシステムがより短距離の無線通信手段を備えていることは良く知られている。例えば、Ｂｌｕｅｔｏｏｔｈ（登録商標）や、類似の使用可能な他の装置、良く知られたものとして携帯通信ハンドセット、とともに、装置の一対を容易にするＷｉ−Ｆｉアンテナがある。これらの技術は両方ともに、以前の受動的な装置、即ち、受信したＧＰＳ信号から装置の現在位置の連続的、繰り返された決定に基づいて、車内ナビゲーションと経路ガイダンス機能を提供するのみである装置に対して、情報をより広域の電気通信ネットワークを介して集中化されたデータ処理サービスに戻すことができる能動的な装置とすることができる。
【００１３】
この件について、ＵＳ６２５３１５１は、地理的データを用いるナビゲーションシステムのエンドユーザが、品質が良くない経路計算や無線でのガイダンスのような他の問題や、地理的データ内での認められたエラーや不正確を容易にレポートできる特徴を記載している。エンドユーザは、認められたエラーや不正確や他の問題を指摘するためにナビゲーションシステムのユーザインタフェースを用いる。ナビゲーションシステムは、エンドユーザの指摘に応じて動作するレポートプログラムを含んでいる。レポートプログラムは、エラーや不正確や他の問題を示す情報を収集し、地理的データベースの開発者に収集された情報を含むレポートを送信する。地理的データベースの開発者は、レポート中の情報を用いて、地理的データベースを更新することができる。
【００１４】
しかしながら、上記のシステムは、マップに関連しないデータの提供とは対照的に、マップデータ・プロバイダの集中化された地理的若しくはマップデータベースができるだけ最新かつ正確であることを保証することにより関心がある。マップに関連しないデータの提供とは、例えば、道路工事や、一時的な迂回路や道路閉鎖、交通渋滞、事故や交通フローや動きに影響があるが基礎なるマップデータにおいて結果的には不備にならない他の一時的な事件又はイベントのような一時的な現象である。
【先行技術文献】
【特許文献】
【００１５】
【特許文献１】米国特許第６２５３１５１号
【発明の概要】
【発明が解決しようとする課題】
【００１６】
本発明は、一時的な現象をレポートするための向上された構成を提供するＰＮＤ、ナビゲーションシステム、上記の動作方法、および、上記を制御するコンピュータプログラムを提供することを目的とする。
【課題を解決するための手段】
【００１７】
本発明は、ＰＮＤ又はナビゲーションシステムを動作する方法であって、前記方法は、前記装置又はシステムにローカルに格納されたマップデータを参照して識別可能に、かつ、現在位置であるか又は前記現在位置を含んでいるかは任意に、特定の位置又は位置範囲がメモリにおいて少なくとも一時的に格納される手段を提供する工程と、それぞれ複数の一時的な現象を示すユーザ選択可能な複数のオプションをユーザに提供する工程と、少なくとも１つのオプションの選択により、前記現象を、識別される位置又は範囲と関連付けて、ともに一次情報として格納し、前記一次情報は引き続いてリモート装置に送信されることを特徴とする方法を提供する。
【００１８】
好ましくは、本発明が、前記装置又はシステムが、特定の一時的な現象をそのような現象が発生するときに特定の位置又は範囲に関連させる機会を与えられた場合の実施形態を含むとしても、前記一次情報は引き続いて無線で送信される。そして、物理的な接続によりリモート装置に後に送信するために、前記装置又はシステムに前記一次情報を格納する。例えば、前記装置又はシステムを前記ＰＣ若しくは適当な又は適切な装置に接続するＵＳＢや他のケーブルによって、リモートＰＣ若しくは適当な又は適切な装置に装置する場合である。
【００１９】
好ましい実施形態において、前記方法は、前記現象について前記位置又は範囲との関連付けと格納の後、前記現象又は関連付けられた前記位置又は範囲についての記述的な二次情報を記録するために、ユーザに更なるオプションを提供する工程を更に含み、前記二次情報は付加的に、前記位置又は範囲と前記一次情報とのうちの１つと、少なくとも一時的に関連付けられて格納され、後に、リモート装置に無線で送信される。
【００２０】
好ましくは、前記二次情報は無線で、前記一次情報とともに実質的に同時に又はすぐに連続して送信される。
【００２１】
最も好ましくは、前記二次情報は、英数字形式とデジタル化された音声形式との少なくとも１つであり、前者は、前記装置のタッチパネルを介してユーザより入力され、後者は、前記装置又はシステムの一部分として備えられたマイクロフォンを介して記録される。
【００２２】
好ましい実施形態において、方法は、音声記録モードを入力するためのオプションを提供する工程を含む。そのオプションの選択により、前記装置又はシステムに、前記マイクロフォンを起動させ、受信した前記音声信号のデジタル化を開始させ、デジタル音声ファイルでストリーミングで格納させる。
【００２３】
より好ましくは、前記記録の処理中か若しくは完了後に、前記デジタル音声ファイルを、前記一次情報と、一部分を形成する前記位置又は範囲とのうちの少なくとも１つと関連付ける。
【００２４】
好ましい実施形態において、ユーザに、英数字文字入力モードのオプションを提供する工程を備え、前記オプションの選択により、前記装置又はシステムが、表示画面上に仮想のキーボードを表示し、前記ユーザにより入力された英数字文字を保存したメモリにおいて、テキストファイルの生成とオープンとを同時に行なう。
【００２５】
最も好ましくは、前記テキストファイルの生成中か若しくは後に、前記テキストファイルを、前記一次情報と、一部分を形成する前記位置又は範囲とのうちの少なくとも１つと関連付ける。
【００２６】
好ましくは、前記一時的な現象とは、前記特定の位置又は範囲、前記特定の位置又は範囲の近くの、及び、前記特定の位置又は範囲に向かっての現在又は未来の交通フロー及び移動に影響を与えるであろう現象と、現在又は未来の経路が前記特定の位置又は範囲を介して、又は、に隣接して通っていく経路を有する他の装置のユーザにとって興味のあるであろう現象とのうち、いずれか１つのタイプである。好ましくは、前者の場合、前記一時的な現象が、交通渋滞の特性及び／又は詳細と、事故及び前記事故の詳細と、移動路の迂回路と、道路工事及び修繕を含む閉鎖及び規制と、現在のローカルな天候状態と、極めて幅広であり重く遅いといった特別な車両の識別とのうち、少なくとも１つである。
【００２７】
本発明の更なる態様によると、記載された方法を実行するように構成されたＰＮＤ及び／又はナビゲーションシステムと同様に、上述の方法を実施するように提供された、必要であればコンピュータ読取可能な媒体上で具現されるコンピュータプログラムである。
【００２８】
代わりの態様として、ＰＮＤ又はナビゲーションシステムは、移動体電気通信ネットワーク上で通信可能な他の装置やローカルな携帯電話により備えられるような、移動体電気通信アンテナを備えていなくても良い。この態様においては、ＰＮＤ又はナビゲーションシステムは、一次情報及び二次情報がまず無線電気通信ネットワーク上で後続して送信されるように、ローカルの携帯装置に送信されるためにローカルの携帯装置との通信を確立することによって、短距離無線アンテナを備えても良い。
【００２９】
上記から分かるように、本発明は、照合や、検証や、他の適切な使用可能な装置への引き続いての返信のために、リモート装置又はシステムへの一時的な現象のリアルタイム又は擬似リアルタイムなレポートの手段を提供する。最も好ましくは、無線電気通信ネットワークで実現され、前記適切な使用可能な装置は効果的に前記ネットワークのノードを形成する。
【００３０】
加えての利点として、一時的な現象をレポートするための構成は、運転中に携帯電話を用いるよりも、一時的な交通、事故、移動路の現象の通信のより合法で容認可能な手段を提供する。それは、多くの国においては、車両がハンドフリーシステムに適用されていないのであれば、今日、不法である。さらなる有利点として、適切に使用可能とされた（移動体電気通信機能を有する等）装置のユーザベースに有効な情報品質は、著しく改善される。
【００３１】
例えば、一人か少数のユーザが事故が発生した時もしくはその直後、混雑した車道上の特定の位置での事故をレポートする場合、交通渋滞の予測が、情報が送信されたリモート装置により行なわれる。特に、特定の時間と該当する車道について、履歴となる交通量のレベルが既知となる場合である。その情報は、使用可能な装置の全体にインストールされた、アクティブなユーザベースで返信されることができる。使用可能な装置は、ユーザへの情報を識別することができ、ユーザが望むのであれば、適切な経路再計算の前々からの機会を与えることができる。
【図面の簡単な説明】
【００３２】
【図１】グローバル位置決めシステム（ＧＰＳ）の一例を示す図である。
【図２】ナビゲーション装置の電子要素のブロック図の一例を示す図である。
【図３】ナビゲーション装置が無線通信チャネル上で情報を受信することができる様式を表すブロック図の一例を示す図である。
【図４Ａ】ナビゲーション装置の実施形態の実行を示す図である。
【図４Ｂ】ナビゲーション装置の実施形態の実行を示す図である。
【図５】本発明について使用可能な装置からの基本的なスクリーン・ショットを示す図である。
【発明を実施するための形態】
【００３３】
本願は、例としての実施形態により、図を参照しながら説明され、以下より詳細に記述される。
【００３４】
図１は、ナビゲーション装置により使用可能なグローバル位置決めシステム（ＧＰＳ）の一例を示す図である。そのようなシステムは既知であり、様々な目的で用いられている。一般的には、ＧＰＳは、連続的な位置や速度や時間、ある場合においては無制限のユーザについての方向情報を決定することができる衛星無線ベースのナビゲーション・システムである。ＮＡＶＳＴＡＲとしてかつて知られているように、ＧＰＳは、極めて正確な軌道で地球とともに運動する複数の人工衛星を含んでいる。これらの正確な軌道に基づいて、ＧＰＳ人工衛星は、受信部に対してそれらの位置を中継することができる。
【００３５】
特にＧＰＳデータを受信するように備えられた装置がＧＰＳ人工衛星信号用の無線周波数の走査を開始した場合に、ＧＰＳシステムが実行される。ＧＰＳ人工衛星から無線信号を受信する際に、装置は、複数の異なった従来の方法の一つによりその人工衛星の正確な位置を決定する。装置は多くの場合、少なくとも３つの異なる人工衛星の信号を取得するまで信号の走査を継続する（位置は、通常ではないが他の三角測量技術を用いて２つの信号のみで決定される）。地理的な三角測量を実行すると、受信器は、３つの既知の位置を利用して、人工衛星に関する２次元の位置を決定する。このことは、既知の方法で行なわれる。付加的に、第４の人工衛星の信号を取得することにより、受信装置が既知の方法で同じ地理的な計算により３次元の位置を計算することが可能になる。この位置および速度データは、無制限のユーザにより、ずっと継続する形態でリアルタイムに更新されることができる。
【００３６】
図１に示すように、ＧＰＳシステムは、一般的に参照番号１００で示される。複数の人工衛星１２０は、地球１２４についての軌道にある。各人工衛星１２０の軌道は、他の人工衛星１２０の軌道と同期している必要は必ずしもなく、実際には、非同期の傾向にある。ＧＰＳ受信器１４０は、様々な人工衛星１２０からのスペクトラム拡散ＧＰＳ人工衛星信号１６０を受信することが示されている。
【００３７】
スペクトラム拡散信号１６０は、各人工衛星１２０から連続的に送信され、極めて正確な原子時計により得られる極めて正確な周波数基準を用いる。各人工衛星１２０は、データ信号送信部１６０の一部であり、特定の人工衛星１２０を指示するデータストリームを送信する。当業者により評価されることには、ＧＰＳ受信装置１４０は一般的に、ＧＰＳ受信装置１４０についての少なくとも３つの人工衛星１２０からスペクトラム拡散ＧＰＳ人工衛星の信号１６０を取得して、三角測量により２次元の位置を計算する。付加的な信号の取得は、合計４つの人工衛星１２０からの信号１６０となるが、ＧＰＳ受信装置１４０が既知の方法で３次元の位置を計算することができる。図２は、ナビゲーション装置２００の電子要素のブロック図を、ブロック要素の形式で示した図である。留意されるべきこととして、ナビゲーション装置２００のブロック図は、ナビゲーション装置の全ての要素を含んでおらず、多くの代表例としてのみの要素を示している。
【００３８】
ナビゲーション装置２００は、ハウジング（不図示）内に位置されている。ハウジングは、入力装置２２０に接続されたプロセッサ２１０と表示画面２４０とを含む。入力装置２２０は、キーボード装置と、音声入力装置と、タッチパネル及び／又は情報を入力するために用いられる他の既知の入力装置を含むことができる。表示画面２４０は、ＬＣＤディスプレイ等のいかなるタイプの表示画面をも含むことができる。入力装置２２０と表示画面２４０は、統合型の入力表示装置に統合され、タッチパッド若しくはタッチパネルを含み、複数の表示選択の一つを選択するためか若しくは複数の仮想ボタンの一つを活性化するために表示画面２４０の一部分を触れることのみを必要とすることを特徴とする。
【００３９】
加えて、出力装置２５０の他のタイプは、可聴式出力装置を含むことができるが、特にそれに限定されない。出力装置２４１は、可聴式の情報をナビゲーション装置２００のユーザに生成することができるのと同様に、等しく理解されることとして、入力装置２４０は、同様に入力音声コマンドを受信するためのマイクロフォンとソフトウエアを含むことができる。ナビゲーション装置２００において、プロセッサ２１０は、接続部２２５を介して入力装置２４０から入力情報を受信するように設定されるように動作可能に接続される。そして、表示画面２４０と出力装置２４１とのうち少なくとも１つに出力接続部２４５を介して動作可能に接続され、そこに情報を出力する。さらに、プロセッサ２１０は、接続部２３５を介してメモリ２３０に動作可能に接続され、そして、接続部２７５を介して入出力（Ｉ／Ｏ）ポート２７０から／に、情報を受信／送信するようにさらに構成されている。特徴として、Ｉ／Ｏポート２７０は、ナビゲーション装置２００の外部のＩ／Ｏ装置２８０に接続可能である。外部Ｉ／Ｏ装置２７０は、イヤホン等の外部盗聴器を含んでも良いが、特にそれに限定されない。Ｉ／Ｏ装置２８０への接続は、ハンズフリーでの操作および／又は音声作動式の操作等イヤホンやヘッドフォンへの接続、及び／又は、携帯電話等への接続のためのカーステレオ等の外部装置への有線若しくは無線接続であっても良い。特徴として、携帯電話の接続は、ナビゲーション装置２００とインターネットや他のネットワーク等との間でのデータ接続を確立するためか、及び／又は、インターネットや他のネットワークを介してのサーバへの接続を確立するために用いられても良い。
【００４０】
ナビゲーション装置２００は、デジタル接続（例えば、既知のＢｌｕｅｔｏｏｔｈ技術を介してのデジタル接続）を確立する携帯機器４００（例えば、携帯電話、ＰＤＡ、及び／又は、他の携帯電話技術）を介してサーバ３０２との「移動体」、即ち、電気通信網を確立するようにしても良い。その後、そのネットワーク・サービス・プロバイダを介して、携帯機器４００は、サーバ３０２とのネットワーク接続（インターネット等を介して）を確立することができる。そのようなものとして、「移動体」ネットワーク接続は、ナビゲーション装置２００（しばしば、単体で移動する場合及び／又は車内にある場合に、移動可能である）とサーバ３０２との間で確立され、リアルタイム、若しくは、少なくとも極めて最新の情報用のゲートウエイを提供することができる。
【００４１】
携帯機器４００（サービスプロバイダを介して）と他のサーバ３０２等の装置との間のネットワーク接続の確立は、インターネット４１０等を用いて、既知の方法により行なわれることができる。これは、例えば、ＴＣＰ／ＩＰ構造のプロトコルの使用を含むことができる。携帯機器４００は、ＣＤＭＡ、ＧＳＭ、ＷＡＮ等の通信基準を利用することができる。
【００４２】
そのようなものとして、インターネット接続が、例えば、ナビゲーション装置２００内の携帯電話技術や携帯電話を介して、データ接続を介して実現される中で利用されても良い。その接続のために、サーバ３０２とナビゲーション装置２００との間のインターネット接続が確立される。これは、例えば、携帯電話や他の携帯機器およびＧＰＲＳ（Ｇｅｎｒａｌ  Ｐａｃｋｅｔ  Ｒａｄｉｏ  Ｓｅｒｖｉｃｅ）接続を介して行なわれることができる（ＧＰＲＳ接続は、電気通信オペレータにより提供される携帯機器用の高速データ接続であり、インターネットに接続するための方法である）。
【００４３】
ナビゲーション装置２００はさらに携帯機器４００と、また最終的にはインターネット４１０及びサーバ３０２との接続を、既存のＢｌｕｅｔｏｏｔｈ技術等既知の方法によって完了することができる。特徴として、データプロトコルは、例えば、ＧＳＲＭ、ＧＳＭ基準用のデータプロトコル基準のような様々な基準を利用することができる。
【００４４】
ナビゲーション装置２００は、ナビゲーション装置２００自身（アンテナ等を含む。さらにはナビゲーション装置２００の内部アンテナが代わりに用いられることができることを特徴とする）内にそれ自身の携帯電話技術を含んでも良い。ナビゲーション装置２００内の携帯電話技術は、上記で特定されるような内部要素を含むことができ、及び／又は、挿入可能なカード（加入者識別モジュール、即ち、ＳＩＭカード）を含むことができ、必要な携帯電話技術、及び／又は、アンテナ等を備えることができる。そのようなものとして、ナビゲーション装置２００内の携帯電話技術は、いかなる携帯機器４００と同様の方法により、インターネット４１０を介してナビゲーション装置２００とサーバ３０２との間のネットワーク接続を確立することができる。
【００４５】
ＧＲＰＳ電話設定について、Ｂｌｕｅｔｏｏｔｈが可能な装置は、携帯電話モデルや製造業者等のかつて変更したスペクトルで正確に動作するように用いられても良い。モデル／製造業者特有の設定は、例えば、ナビゲーション装置２００上に保存されても良い。その情報用に保存されたデータは、更新されることができる。
【００４６】
図２はさらに、接続部２５５を介して、プロセッサ２１０とアンテナ／受信器２５０との間で動作する接続を示す。特徴として、アンテナ／受信器２５０は、ＧＰＳアンテナ／受信器等でも良い。理解されるであろうこととして、参照番号２５０により指定されるアンテナ及び受信器は、図示するために図解的に結合されている。しかしながら、アンテナ及び受信器は、分かれて位置された要素であっても良く、アンテナは、例えば、ＧＰＳパッチ・アンテナやらせん状のアンテナであっても良い。
【００４７】
さらに、当業者に理解されるであろうこととして、図２において示される電子要素は、従来の方法で、電源（不図示）により電力が供給される。
【００４８】
当業者により理解されるであろうこととして、図２に示される要素の異なった構成が、本願の範囲以内で考えられる。例えば、図２に示される要素は、有線及び／又は無線接続等を介して相互に通信されても良い。従って、本願のナビゲーション装置２００の範囲は、携帯用若しくは手持ち式のナビゲーション装置２００を含んでいる。
【００４９】
加えて、図２の携帯用若しくは手持ち式のナビゲーション装置２００は、例えば、車やボートのような電動車両に既知の方法で接続されるか又はドッキングされることができる。そのようなナビゲーション装置２００はその後、携帯用若しくは手持ち式の使用のために、ドッキングされた位置から外される。
【００５０】
図３は、一般的な通信チャネル３１８を介して通信可能なナビゲーション装置とサーバ３０２のブロック図の一例を示す。サーバ３０２とナビゲーション装置２００は、通信チャネル３１８を介した接続がサーバ３０２とナビゲーション装置２００との間で確立された場合に通信することができる（ここで、そのような接続は、例えば、インターネットを介してパーソナルコンピュータを介したダイレクト接続、携帯機器を介したデータ接続でも良い）。サーバ３０２は、不図示の他の要素に加えて、メモリ３０６に動作可能に接続され、大容量データ記憶装置３１２に有線又は無線で動作可能にさらに接続されたプロセッサ３０４を含む。プロセッサ３０４は、送信器３０８と受信器３１０にさらに動作可能に接続され、通信チャネル３１８を介してナビゲーション装置２００に情報を送信する。送信され受信された信号は、データ、通信、及び／又は、他の伝播された信号を含んでも良い。送信器３０８と受信器３１０は、ナビゲーションシステム２００の通信設計において用いられる通信仕様及び通信技術に従って選択されるか設計されても良い。更に、送信器３０８と受信器３１０の機能は、信号送受信器として組み合わされても良い。サーバ３０２は、さらに大容量記憶装置３１２に接続されても良い（若しくは、含んでも良い）。ここで、大容量記憶装置３１２は、通信リンク３１４を介してサーバ３０２に結合されても良い。大容量記憶装置３１２は、ナビゲーションデータとマップ情報の格納を含む。そして、サーバ３０２から再び分離した装置にすることができ、サーバ３０２に組み入れられることができる。
【００５１】
ナビゲーション装置２００は、通信チャネル３１８を介してサーバ３０２と通信するように構成されている。そして、通信チャネル３１８を介して信号及び／又はデータを送信し受信する送信器３２０と受信器３２２と同様に、図２について先述したように、プロセッサ、メモリ等を含む。ここで、これらの装置は、サーバ３０２以外の装置と通信するように用いられることができる。さらに、送信器３２０と受信器３２２は、ナビゲーション装置２００の通信設計において用いられる通信仕様及び通信技術に従って選択されるか設計される。そして、送信器３２０と受信器３２２の機能は、単一の送受信器に組み合わせられても良い。
【００５２】
サーバのメモリ３０６に保存されるソフトウエアは、プロセッサ３０４に指示を与え、サーバ３０２がナビゲーション装置２００にサービスを提供することを可能にする。サーバ３０２により提供される１つのサービスは、ナビゲーション装置２００からの要求の処理と、大容量記憶装置３１２からナビゲーション装置２００へのナビゲーションデータの送信とを含む。サーバ３０２により提供される他のサービスは、所望のアプリケーションについての様々なアルゴリズムを用いるナビゲーションデータの処理と、それらの計算結果のナビゲーション装置２００への送信とを含む。
【００５３】
通信チャネル３１８は、ナビゲーション装置２００とサーバ３０２とを接続するパス若しくは伝播媒体を一般的に表している。サーバ３０２とナビゲーション装置２００は、通信チャネルを介してデータを送信する送信器と、通信チャネルを介して送信されたデータを受信する受信器とを含む。通信チャネル３１８は、特に通信技術に限定されない。付加的に、通信チャネル３１８は、様々な技術を用いる幾つかの通信リンクを含んでも良い。例えば、通信チャネル３１８は、電気、光学、及び／又は、電磁気通信用のパスを提供するように構成されることができる。そのようなものとして、通信チャネル３１８は、限定されないが、電気回路、導線や同軸ケーブル等の電気コンダクタ、光学ファイバケーブル、コンバータ、無線（ｒｆ）波、大気や空き空間等の組み合わせの１つを含む。さらに、通信チャネル３１８は、ルータ、リピータ、バッファ、送信器、受信器等のような中間装置を含むことができる。
【００５４】
例えば、通信チャネル３１８は、電話やコンピュータネットワークを含む。さらに、通信チャネル３１８は、無線周波数、マイクロ波周波数、赤外線通信のような無線通信に対応するようにしても良い。付加的に、通信チャネル３１８は、衛星通信に対応することができる。
【００５５】
通信チャネル３１８を介して送信された通信信号は、限定されないが、所定の通信技術のために求められ、若しくは、所望されても良い。例えば、信号は、時分割多重アクセス（ＴＤＭＡ）、周波数分割多重アクセス、符号分割多重アクセス、携帯通信用のグローバルシステム（ＧＳＭ）等のような携帯電話通信技術において用いられるように構成しても良い。デジタル信号とアナログ信号の両方が、通信チャネル３１８を介して送信されることができる。それらの信号は、通信技術用に望ましいように、変調され、暗号化され、及び／又は、圧縮された信号であっても良い。
【００５６】
サーバ３０２は、無線チャネルを介してナビゲーション装置２００によりアクセス可能なリモートサーバを含む。サーバ３０２は、ローカル・エリア・ネットワーク（ＬＡＮ）、ワイド・エリア・ネットワーク（ＷＡＮ）、バーチャル・プライベート・ネットワーク（ＶＰＮ）上に位置するネットワークサーバを含んでも良い。
【００５７】
サーバ３０２は、デスクトップ若しくはラップトップコンピュータのようなパーソナルコンピュータを含んでも良く、通信チャネル３１８は、パーソナルコンピュータとナビゲーション装置２００との間で接続されるケーブルであっても良い。代わりに、パーソナルコンピュータは、ナビゲーション装置２００とサーバ３０２との間で接続され、サーバ３０２とナビゲーション装置２００との間で、インターネット接続を確立するようにしても良い。代わりに、携帯電話や他の手持ち式の装置が、インターネットを介してサーバ３０２にナビゲーション装置２００を接続するために、インターネットへの無線接続を確立しても良い。
【００５８】
ナビゲーション装置２００は、情報のダウンロードによってサーバ３０２からの情報を備えるようにしても良い。その情報のダウンロードにより、ユーザがナビゲーション装置２００をサーバ３０２に接続する際に定期的に更新されても良く、及び／又は、無線携帯接続装置やＴＣＰ／ＩＰ接続等を介してのサーバ３０２とナビゲーション装置２００との間で、一定か頻繁な接続の際により動的に更新されても良い。多くの動的な計算のために、サーバ３０２のプロセッサ３０４は、大量の処理の必要を扱うために用いられても良いが、ナビゲーション装置２００のプロセッサ２１０も、しばしばサーバ３０２への接続と無関係に、より多くの処理および計算を扱うことができる。
【００５９】
図２において上記で示したように、ナビゲーション装置２００は、プロセッサ２１０、入力装置２２０、表示画面２４０を含む。入力装置２２０と表示画面２４０は、統合型入力表示装置に統合され、情報の入力（直接入力、メニュー選択等を介して）と、タッチパネル画面を介しての情報の表示の両方を可能とする。そのような画面は、当業者に良く知られているようなタッチ入力ＬＣＤ画面であっても良い。さらには、ナビゲーション装置２００は、音声入力／出力装置等の付加的な入力装置２２０、及び／又は、付加的な出力装置２４１を含むことができる。
【００６０】
図４Ａ及び図４Ｂは、ナビゲーション装置２００の斜視図である。図４Ａに示すように、ナビゲーション装置２００は、統合型入力表示装置２９０（例えば、タッチパネル画面）と図２の他の要素を含む一つのユニットであっても良い（限定されないが、内部ＧＰＳ受信器２５０、マイクロプロセッサ２１０、電源、メモリシステム２２０等を含む）。
【００６１】
ナビゲーション装置２００は、アーム２９２上に位置して、それ自身が大きな吸着カップを用いて、車両のダッシュボード／窓等に固定されても良い。このアーム２９２は、ナビゲーション装置２００がドッキングされることができるドッキング・ステーションの一例である。
【００６２】
図４Ｂに示されるように、ナビゲーション装置２００はドッキングされるか、例えば、ナビゲーション装置２９２をアーム２９２にカチリと接続することにより、ドッキング・ステーションのアーム２９２と接続されても良い（これは一例であり、ドッキング・ステーションへの接続のための他の既知の代替方法が本願の範囲内である）。ナビゲーション装置２００はその後、図４Ｂの矢印で示されるようにアーム２９２上で回転可能である。ナビゲーション装置２００とドッキング・ステーションとの間の接続をリリースするために、例えば、ナビゲーション装置２００のボタンが押下されても良い（これは一例であり、ドッキング・ステーションとの切断のための他の既知の代替方法が本願の範囲内である）。
【００６３】
図５を参照すると、本発明の実施形態を示す一連のスクリーンショットが示されている。スクリーンショット５００において、装置は、マップ情報５０２と現在位置の表示５０４を表示している。加えて、ユーザが選択可能なアイコン５０６が表示されている。これは任意であり、このアイコンは、マップ情報が表示されている間に表示画面に触れるというだけでアクセスされる様々な異なったアイコンで構成された基礎となるメニュー構造の一部を形成しても良い。しかしながら、いかなるイベントにおいても、装置は幾つかの手段を提供しており、それによって、ユーザは、事件や一時的なある種の現象をレポートすることを望むという指示を装置に提供することができる。本実施形態において、アイコン５０６は、交通事情のレポートに関係している。本画面上でのアイコンの選択によって、５０８として示されるように、装置は交通レポートモードとなる。
【００６４】
このモードにおいてスクリーンショット５１０により示されるように、マップ情報５０２と現在位置の表示５０４は表示され続けるが、代わりに任意のユーザが選択可能なアイコン５１２が表示され、装置が交通事情レポートモードであることをユーザに示している。
【００６５】
このモードにおいて、車両の現在の速度（装置により測定される）は、装置が現在移動している道路ネットワークの予期される交通スピードと比較される。これは付加的に、現在の地理的な装置の位置と、装置のメモリに格納された基礎となるマップデータとの比較から装置によって判定されても良い。もし、車両の速度が該当する特定のタイプの道路について装置のメモリに格納された予期される交通スピードより遅い場合には（代わりに、このデータは、現在の道路についてのマップデータ速度制限情報から得ても良い）、車両の位置と現在の車両の速度とが、理想的には、適切なアンテナと適切な加入者識別モジュールとを備えた結果、装置が形成する移動体電気通信ネットワークによって、リモートデータ処理サーバに送信される。もし、車両の現在の速度が予期される交通スピードよりも遅くなければ、装置は、「交通事情レポートモード」を抜ける。
【００６６】
「交通事情レポートモード」の間、装置は理想的には、現在の速度と位置とを３０秒毎に無線で送信する。これは、以下の条件の一つを満たすまで続けられる。
【００６７】
１．車両の速度が、少なくとも３０秒間、道路についての予期される交通スピードまで増加した。
【００６８】
２．ユーザが目的地に到達した（経路が計画された場合）。
【００６９】
３．装置が電源オフした。
【００７０】
上記の条件のいずれかを満たした場合に、装置は自動的に「交通事情レポートモード」を抜け、「交通事情のレポート」アイコン５１２は、「交通事情のレポート」アイコン５０６に置き換わる。
【００７１】
上述したように、「交通事情のレポート」５１２は、インストールされた装置のユーザベースにおいて、他のユーザへの引き続いての再送信のために集中化された処理センタに有効にレポートされるであろう特定のタイプの交通関連の一時的なローカルな事件を示す特定のアイコンをさらに表示するようにユーザが選択可能であっても良い。例えば、アイコン５１２の選択により、５１４で示されたスクリーンショットが表示され、そこでは、他の多くの特定のアイコンが、特定のタイプの交通関連の一時的な現象に関して表示される。特に、これらは、「横幅オーバ」アイコン５１６、「重大事故」アイコン５１８、「軽度の事故」アイコン５２０、「仮迂回路」アイコン５２２と、「悪天候」アイコン５２６である。勿論、これらのアイコンの選択により、５１０のスクリーンショットで示されるマップ情報の表示に戻るようにしても良い。又は、更なるメニュー構造を表示するようにしても良く、それにより、英数字で又は、装置が話し言葉の記録を可能にするマイクロフォンやソフトウエアを備えている場合には音声で、装置において二次情報を入力するようにしても良い。
【００７２】
スクリーンショット５１４において示されたアイコンの一つを選択後、装置は、スクリーンショット５１０において示されるマップ情報の表示に戻り、特定のタイプの一時的な現象の自動保存が、選択されたアイコンに応じて装置内で行なわれる。
【００７３】
代わりの実施形態において、スクリーンショット５００においてアイコン５０６の選択により、５１４において表示されたような一連のアイコンを含むスクリーンショットを直ちに表示するようにしても良い。本実施形態において、特定のタイプの一時的な事情、イベント、又は現象が適切に識別されるために、アイコン５１６、５１８、５２０、５２２、５２４、５２６の一つが選択されるまで、装置は事情レポートモードとならない。その後、装置は、５１０のスクリーンショットに戻る。
【００７４】
好ましい実施形態において、本発明は、自動交通事情レポートの特徴を提供するようにしても良い。従って、選択されるか使用可能とされた場合に、現在の装置の速度と、特定の道路ネットワーク要素若しくは比較時に装置が移動しているセグメントについての予期された移動スピードとを装置に定期的に比較させる装置ソフトウエアの一部分としてのオプションが提供される。比較の期間は、調整可能であって良いし、又は、例えば１０秒間隔のように予め定められていても良い。もし、自動事情レポートの特徴が使用可能である場合には、装置がフリー・ドライビングモードであろうとナビゲーションモードであろうと関係なく、経路が計画され装置がその経路のナビゲーションをユーザに提供する場合に、比較が発生するべきである。
【００７５】
任意に、有効とされた後に、装置の速度が現在の道路ネットワーク要素の予期された移動スピードに達すると、自動交通事情レポートの特徴が「アクティブ」とだけなるようにしても良い。これは、装置が行路の最初に、又は、電源がオンされた直後に静止している場合に事情がレポートされないように行なわれる。さもないと、その特徴は、装置が移動を開始するとすぐにアクティブになることができ、偽の交通事情データがレポートされるであろう。
【００７６】
ナビゲーション装置の現在の速度が現在の道路ネットワーク要素について予期された移動スピードの８０％以下まで落ちた場合にはいつでも、装置は、現在の速度とともに幾つかの形式での道路要素の識別を、リモート・バックエンド処理、検証、及び／又は、照合する構成に、上述したように理想的には無線データ接続（例えば、ＧＰＲＳ、ＷｉＦｉ、３Ｇ）を用いてアップロードする。
【００７７】
代表的には、無線受信した交通事情情報のある照合及び／又は検証を行なうリモート・バックエンド処理の構成について、情報を受信した際に以下が理想的に行われる。
【００７８】
交通事情レポートが、統一された交通事情フォーマットに変換される。
【００７９】
交通事情が、有効期間、例えば３０分間というデフォルトの有効期間に割り当てられても良い。任意に、事情の有効期間は、その事情のタイプ（一つが特定された場合）に従って若しくはその事情の重大性の解析により（３０％の速度減少の事情が８０％の速度減少より短い有効性を有している等）設定されても良い。
【００８０】
隣接し、接続された、道路ネットワーク要素についての交通事情レポートが、単一の交通事情に結合される。
【００８１】
交通事情レポートが、全体の交通事情レポートサービスの一部として、装置のインストールされたユーザベースに送信される（加入者ベース上で装置の所有者に任意に提供される）。交通事情と他の政府の及び／又は商業の情報源からの一般的な交通フロー情報との識別も含まれている。
【図１】
2011506985.tif 000003
【図２】
2011506985.tif 000004
【図３】
2011506985.tif 000005
【図４Ａ】
2011506985.tif 000006
【図４Ｂ】
2011506985.tif 000007
【図５】
2011506985.tif 000008
【国際調査報告】
2011506985.tif 000009
2011506985.tif 000010
2011506985.tif 000011